(57)【要約】【課題】雨水等の水が溢れ出る事態を防止する。【解決手段】下方パネル収容溝２９Ａが設けられた腕木１８と、上方パネル収容溝２９Ｂが設けられた妻垂木１９と、腕木１８及び妻垂木１９の間に設けられた前枠１７と、側方パネル収容溝２９Ｃが設けられた縦框部材２１Ｃと、縁部が下方パネル収容溝２９Ａ、上方パネル収容溝２９Ｂ及び側方パネル収容溝２９Ｃに挿入された状態で配設された屋根妻パネル２３とを備える屋根構造体であって、縦框部材２１Ｃには、側方パネル収容溝２９Ｃよりも外周側となる部位に中空の筒状を成す筒状基部６０Ａが設けられ、上方パネル収容溝２９Ｂは、筒状基部６０Ａの内部に連通するように設けられ、筒状基部６０Ａの内部において上方パネル収容溝２９Ｂの小口端面よりも下方となる部位には、下方パネル収容溝２９Ａに対向する部位にのみ排水孔６４ａを確保した状態で底壁部６４が設けられている。【選択図】図５
2020060044.tif 000002
【特許請求の範囲】
【請求項１】
建物の外壁に対して突出するように延在され、上方に開口する下方パネル収容溝が設けられた下方フレーム材と、
前記下方フレーム材の上方において前記外壁に対して突出するように延在され、下方に開口する上方パネル収容溝が設けられた上方フレーム材と、
前記下方フレーム材及び前記上方フレーム材の間に設けられた側方フレーム材と、
側方に開口する側方パネル収容溝が設けられ、前記側方パネル収容溝が前記下方パネル収容溝及び前記上方パネル収容溝を連続するように前記側方フレーム材に設けられた縦框部材と、
縁部が前記下方パネル収容溝、前記上方パネル収容溝及び前記側方パネル収容溝に挿入された状態で配設された屋根妻パネルと
を備える屋根構造体であって、
前記縦框部材には、前記側方パネル収容溝よりも外周側となる部位に中空部が設けられ、
前記上方パネル収容溝は、前記中空部に連通するように設けられ、
前記中空部において前記上方パネル収容溝の小口端面よりも下方となる部位には、前記下方パネル収容溝に対向する部位にのみ排水孔を確保した状態で底壁部が設けられていることを特徴とする屋根構造体。
【請求項２】
前記上方フレーム材は、前記外壁から離隔するに従って下方となるように傾斜し、
前記縦框部材は、前記上方フレーム材において前記外壁から離隔した延在端部に配設されていることを特徴とする請求項１に記載の屋根構造体。
【請求項３】
前記底壁部は、前記排水孔に向けて漸次低くなるように傾斜していることを特徴とする請求項１に記載の屋根構造体。
【請求項４】
前記縦框部材には、前記排水孔が前記下方パネル収容溝に対向した場合に前記下方パネル収容溝に挿入される突部が設けられていることを特徴とする請求項１に記載の屋根構造体。
【請求項５】
前記側方フレーム材は、水平方向に沿って延在され、その端部に前記下方フレーム材及び前記上方フレーム材が連結されるものであり、
前記上方パネル収容溝は、パネル収容溝が設けられた別体の上框部材を前記上方フレーム材に取り付けることによって構成され、
前記側方フレーム材の端部には、端部キャップが取り付けられ、
前記端部キャップには、前記側方フレーム材の小口端面を覆う本体カバー部と、前記上方フレーム材の外方側面から前記縦框部材の外方側面にわたる部位を覆う延長カバー部とが一体に設けられていることを特徴とする請求項１に記載の屋根構造体。
【請求項６】
前記延長カバー部において前記上方フレーム材に対向する内表面の縁部及び前記縦框部材に対向する内表面の縁部には、シール材を塗布するための一連のシール塗布用溝が設けられていることを特徴とする請求項５に記載の屋根構造体。
【発明の詳細な説明】
【技術分野】
【０００１】
本発明は、テラス囲い等の屋外構造物に適用される屋根構造体に関するものである。
【背景技術】
【０００２】
テラス囲い等、建物の外壁に設けられる屋外構造物には、外壁に設けられた縦枠と、外壁に対して突出するように設けられた上方側枠及び下方側枠と、前枠との間に構成される台形状の開口に屋根妻パネルを設けて屋根構造体を構成するようにしたものがある。屋根妻パネルは、前枠の端部、縦枠、上方側枠、下方側枠に設けられたパネル収容溝に縁部が挿入された状態でこれら前枠、縦枠、上方側枠、下方側枠に支持されている（例えば、特許文献１参照）。
【０００３】
この種の屋根構造体では、雨水等の水が上方側枠のパネル収容溝に浸入すると、上方側枠の傾斜に沿ってパネル収容溝の内部を移動し、前枠端部のパネル収容溝を介して下方側枠のパネル収容溝に到達する。下方側枠のパネル収容溝に到達した水は、図示せぬ排水口を介して屋根構造体の外部に排出されるようになっている。
【先行技術文献】
【特許文献】
【０００４】
【特許文献１】特開２０１２−２２９５７３号公報
【発明の概要】
【発明が解決しようとする課題】
【０００５】
ところで、前枠の端部に設けられるパネル収容溝は、横方向に開口するものである。従って、上方側枠のパネル収容溝から前枠端部のパネル収容溝へ到達した水は、屋根妻パネルの表面側に漏出し易い状態にある。しかも、前枠端部に設けられたパネル収容溝は、上方側枠に設けられたパネル収容溝に比べて長さが短い場合が多く、収容できる水の容量もごく限られたものとなる。このため、上述の屋根構造体では、上方側枠のパネル収容溝から前枠端部のパネル収容溝に到達した水が下方側枠のパネル収容溝に排出される以前に外部に溢れ出るおそれもある。
【０００６】
本発明は、上記実情に鑑みて、雨水等の水が溢れ出る事態を防止することのできる屋根構造体を提供することを目的とする。
【課題を解決するための手段】
【０００７】
上記目的を達成するため、本発明に係る屋根構造体は、建物の外壁に対して突出するように延在され、上方に開口する下方パネル収容溝が設けられた下方フレーム材と、前記下方フレーム材の上方において前記外壁に対して突出するように延在され、下方に開口する上方パネル収容溝が設けられた上方フレーム材と、前記下方フレーム材及び前記上方フレーム材の間に設けられた側方フレーム材と、側方に開口する側方パネル収容溝が設けられ、前記側方パネル収容溝が前記下方パネル収容溝及び前記上方パネル収容溝を連続するように前記側方フレーム材に設けられた縦框部材と、縁部が前記下方パネル収容溝、前記上方パネル収容溝及び前記側方パネル収容溝に挿入された状態で配設された屋根妻パネルとを備える屋根構造体であって、前記縦框部材には、前記側方パネル収容溝よりも外周側となる部位に中空部が設けられ、前記上方パネル収容溝は、前記中空部に連通するように設けられ、前記中空部において前記上方パネル収容溝の小口端面よりも下方となる部位には、前記下方パネル収容溝に対向する部位にのみ排水孔を確保した状態で底壁部が設けられていることを特徴とする。
【発明の効果】
【０００８】
本発明によれば、縦框部材に中空部を設けるとともに、上方パネル収容溝が中空部に連通するように設けてあるため、上方パネル収容溝からの水は中空部に流入することになり、側方パネル収容溝の開口から屋根妻パネルの表面に水が漏出する事態を防止することができる。しかも、中空部に到達した水は、底壁部によって内部に集められた後に、排水孔を通過して下方パネル収容溝にのみ排出されるため、外部に溢れ出るおそれもなくなる。
【図面の簡単な説明】
【０００９】
【図１】本発明の実施の形態である屋根構造体を備えた屋外構造物を示すもので、（ａ）は外観斜視図、（ｂ）はフレーム材の構成を示す斜視図である。
【図２】図１に示した屋外構造物の屋根構造体を示す拡大断面側面図である。
【図３】図２に示した屋根構造体の横断面図である。
【図４】図２におけるＸ−Ｘ線断面図である。
【図５】図２に示した屋根構造体の前枠部分を示す拡大断面側面図である。
【図６】図２におけるＹ−Ｙ線拡大断面図である。
【図７】図２に示した屋根構造体の縦框部材を示すもので、（ａ）は側方フレーム材側から見た正面図、（ｂ）は側面図、（ｃ）は平面図、（ｄ）は背面図、（ｅ）は背面側から見た斜視図、（ｆ）は正面側から見た斜視図、（ｇ）は（ｄ）におけるＡ−Ａ線断面図、（ｈ）は（ｄ）におけるＢ−Ｂ線断面図である。
【図８】図２に示した屋根構造体の前枠部分を室外側から見たもので、（ａ）は端部キャップを取り外した状態の斜視図、（ｂ）は端部キャップを取り付けた状態の斜視図である。
【図９】図２に示した屋根構造体の前枠部分と端部キャップとを示すもので、（ａ）は端部キャップを内表面側から見た側面図、（ｂ）は端部キャップを取り付ける以前の前枠部分の断面側面図、（ｃ）は前枠部分に取り付けた状態の端部キャップを内表面側から見た側面図である。
【発明を実施するための形態】
【００１０】
以下、添付図面を参照しながら本発明に係る屋根構造体の好適な実施の形態について詳細に説明する。
図１〜図４は、本発明の実施の形態である屋根構造体を備えた屋外構造物を示したものである。ここで例示する屋外構造物１０は、建物の外壁Ｗに隣接したテラス１を利用してサンルームを構成するためのテラス囲いと称されるもので、複数のフレーム材を組み合わせることによって構成された略直方体状の外殻を備えている。フレーム材は、アルミニウム合金等の金属によって成形した押し出し形材であり、長手に沿った全長がほぼ一様の断面を有するように構成してある。本実施の形態では、フレーム材として、躯体縦枠１１、根太掛け１２、垂木掛け１３、妻梁１４、柱１５、桁１６、前枠（側方フレーム材）１７、腕木（下方フレーム材）１８、妻垂木（上方フレーム材）１９を適用し、これらを適宜組み合わせることによって屋外構造物１０の外殻が構成してある。このうち、垂木掛け１３、前枠１７、腕木１８、妻垂木１９は、後述する框部材２１、屋根パネル２２、屋根妻パネル２３及び端部キャップ３０とによって屋根構造体を構成するものである。
【００１１】
以下、屋外構造物１０についてより具体的に説明する。なお、以下においては便宜上、建物の上下に沿う方向を上下、外壁Ｗに沿って水平となる方向を左右、外壁Ｗに直交して水平となる方向を前後とし、外壁Ｗから離隔する方向を前方、外壁Ｗに近接する方向を後方と称することとする。
【００１２】
この屋外構造物１０では、まず、建物の外壁Ｗに左右の躯体縦枠１１を取り付けるとともに、躯体縦枠１１の下端部間に根太掛け１２を取り付け、かつ躯体縦枠１１の上端部間に垂木掛け１３を取り付けることにより、建物の外壁Ｗに矩形の枠が構成される。垂木掛け１３は、両端の小口端面が左右に開口するように、両端部の下面を介して躯体縦枠１１の上面に当接した状態で外壁Ｗに取り付けてある。図からも明らかなように、垂木掛け１３及び躯体縦枠１１には、外壁Ｗに当接する面の縁部にシール溝１３ａ，１１ａが設けてある。垂木掛け１３には、外壁Ｗ側の上方縁部にシール溝１３ａが設けてあり、躯体縦枠１１には、外壁Ｗ側の両側縁部にそれぞれシール溝１１ａが設けてある。これらのシール溝１３ａ，１１ａは、垂木掛け１３や躯体縦枠１１を建物に取り付けた場合に、外壁Ｗとの間に断面が矩形状となるように構成したもので、垂木掛け１３及び躯体縦枠１１で互いに同一の幅を有するように構成してある。
【００１３】
根太掛け１２には、両端部から室外側に向けてほぼ水平となるように左右の妻梁１４が突設してあり、妻梁１４の延在端部には、それぞれ柱１５が連結してある。柱１５は、左右の躯体縦枠１１と同じ間隔を確保した状態で上下に沿う状態でテラス１に立設したもので、個々の上端が躯体縦枠１１の上端よりも低くなるように設けてある。左右の柱１５の間には、桁１６及び前枠１７が取り付けてある。桁１６は、妻梁１４とほぼ同じ高さとなるように配設したもので、左右に沿ってほぼ水平に延在している。前枠１７は、左右両端部の下面にそれぞれ柱１５の上端面が当接するように配設してあり、垂木掛け１３よりも低い位置において左右に沿ってほぼ水平に延在している。なお、本実施の形態では、これら左右の柱１５、桁１６及び前枠１７によって構成される矩形状の前面開口２４に引き違い窓４０が取り付けてあり、左右の障子４１をスライドさせることで前面開口２４を開閉することが可能である。
【００１４】
前枠１７は、中空の筒状を成す前枠基部１７ａと、前枠基部１７ａの上部に設けた上方ヒレ部１７ｂと、前枠基部１７ａの外周側となる側面に設けた前方ヒレ部１７ｃとを一体に構成したものである。上方ヒレ部１７ｂは、前枠基部１７ａとの間に、後述する屋根パネル２２の縁部が挿入されるパネル装着溝２２Ａを構成するためのもので、前枠基部１７ａの上部から上方に突出した後、建物の外壁Ｗに近接する方向に屈曲して延在している。前方ヒレ部１７ｃは、前枠基部１７ａの外周に樋１７ｄを構成するためのもので、前枠基部１７ａの側面から斜め上方に突出した後、鉛直上方に向けて屈曲し、さらに屈曲縁部が建物の外壁Ｗに向けてわずかに屈曲している。
【００１５】
前枠１７の両端部には、躯体縦枠１１との間にそれぞれ腕木１８が取り付けてある。腕木１８は、前枠１７の下方部から外壁Ｗに向けてほぼ水平に延在し、延在端部が躯体縦枠１１の室外に臨む表面１１ｃに連結してあり、躯体縦枠１１、柱１５及び妻梁１４との間に矩形状の側方開口２５を構成している。なお、本実施の形態では、左右の側方開口２５にそれぞれＦＩＸ窓５０が取り付けてあり、側方開口２５が常時閉塞された状態にある。
【００１６】
さらに、前枠１７の両端部には、腕木１８よりも上方となる部位にそれぞれ妻垂木１９が取り付けてある。妻垂木１９は、建物の外壁Ｗに向けて漸次上方となるように傾斜し、延在端部がそれぞれ垂木掛け１３の両端部に連結してある。左右の妻垂木１９は、垂木掛け１３及び前枠１７との間に矩形状の屋根開口２６を構成し、かつ躯体縦枠１１、腕木１８及び前枠１７との間にそれぞれ台形状の屋根妻開口２７を構成している。
【００１７】
屋根開口２６には、妻垂木１９と平行となるように垂木２８が設けられるとともに、開口２６を閉塞するように屋根パネル２２が取り付けてある。屋根パネル２２は、屋外構造物１０の屋根となるもので、外壁Ｗから離隔するに従って漸次下方となるように傾斜している。図からも明らかなように、屋根パネル２２は、四周の縁部を垂木掛け１３、妻垂木１９及び前枠１７のそれぞれに設けたパネル装着溝２２Ａに挿入することにより、屋根開口２６を常時閉塞する状態で取り付けてある。屋根パネル２２としては、ポリカーボネート等の樹脂によって成形した透光性を有する板材を適用している。パネル装着溝２２Ａの内部においては、屋根パネル２２の上下両面に対して少なくとも一方にシール部材２２ａが当接した状態にある。屋根パネル２２に当接するシール部材２２ａは、予め成形された定形を成すものである。
【００１８】
一方、屋根妻開口２７には、屋根妻パネル２３が配設してある。屋根妻パネル２３は、四周の縁部を前枠１７の端部、妻垂木１９、躯体縦枠１１、腕木１８に設けたパネル収容溝２９に挿入することにより、屋根妻開口２７を常時閉塞する状態で取り付けてある。腕木１８のパネル収容溝（以下、区別する場合に下方パネル収容溝２９Ａという）は、腕木１８の上面に一体に形成してあり、上方に向けて開口している。これに対して前枠１７の端部、妻垂木１９、躯体縦枠１１では、パネル収容溝２９を有した框部材２１を別体に成形し、それぞれの内周側となる表面に框部材２１を取り付けることによってパネル収容溝２９が設けてある。妻垂木１９のパネル収容溝（以下、区別する場合に上方パネル収容溝２９Ｂという）は下方に向けて開口し、前枠１７の端部のパネル収容溝（以下、区別する場合に側方パネル収容溝２９Ｃという）は後方に向けて開口し、躯体縦枠１１のパネル収容溝（以下、区別する場合に後方パネル収容溝２９Ｄという）は前方に向けて開口している。
【００１９】
框部材２１は、前枠１７、妻垂木１９、躯体縦枠１１よりも幅が小さく構成してあり、個々の外方側面２１ａが、前枠１７の小口端面１７ｅ、妻垂木１９の外方側面１９ａ、躯体縦枠１１の外方側面１１ｂに対して一段退行した位置に取り付けてある。同様に、腕木１８には、下方パネル収容溝２９Ａよりも室外側に位置する部位に、腕木１８の外方側面１８ａよりも一段退行した段状側面１８ｂが設けてある。この段状側面１８ｂは、框部材２１の外方側面２１ａとほぼ同一の平面上に位置している。屋根妻パネル２３としては、屋根パネル２２と同様、ポリカーボネート等の樹脂によって成形した透光性を有する板材を適用している。パネル収容溝２９の内部においては、屋根妻パネル２３の内外両表面に対して少なくとも一方にパネルシール部材２３ａが当接した状態にある。屋根妻パネル２３に当接するパネルシール部材２３ａは、予め成形された定形を成すものである。
【００２０】
図からも明らかなように、本実施の形態では、前枠１７に設けた框部材（以下、区別する場合に縦框部材２１Ｃという）の上端部に妻垂木１９の框部材（以下、区別する場合に上框部材２１Ｂという）が挿入する形で連結してある。また、上框部材２１Ｂにおいて外壁Ｗ側に位置する端部には、その下面に躯体縦枠１１に設けた框部材（以下、区別する場合に後框部材２１Ｄという）の上端面が当接した状態で連結してある。
【００２１】
上框部材２１Ｂ及び後框部材２１Ｄは、アルミニウム合金等の金属によって成形した押し出し形材であり、断面が略矩形の中空状を成すように構成してある。上方パネル収容溝２９Ｂ及び後方パネル収容溝２９Ｄは、それぞれの框部材２１Ｂ，２１Ｄにおいて矩形の一辺を構成する周壁の全長に開口を設けることによって構成してある。すなわち、上框部材２１Ｂ及び後框部材２１Ｄでは、中空状の内部全体がパネル収容溝２９Ｂ，２９Ｄとなっている。図３及び図４に示すように、上框部材２１Ｂは、周壁を介してネジ部材Ｓを螺合することにより妻垂木１９に固定してあり、後框部材２１Ｄは、周壁を介してネジ部材Ｓを螺合することにより躯体縦枠１１に固定してある。
【００２２】
一方、縦框部材２１Ｃは、樹脂によって型成形したもので、図５〜図７に示すように、断面が略矩形の中空状を成すように構成してある。縦框部材２１Ｃの左右に位置する２つの側周壁６１は、相互間に上框部材２１Ｂを収容することのできる寸法に構成してある。また、縦框部材２１Ｃにおいて前枠１７に対向する前枠対向周壁６２及び躯体縦枠１１に対向する縦枠対向周壁６３には、それぞれの略上半部分に上框部材２１Ｂを挿通可能とする切欠６２ａ，６３ａが設けてある。
【００２３】
側方パネル収容溝２９Ｃは、縦枠対向周壁６３に凹所を設けることによって構成してある。すなわち、縦枠対向周壁６３は、２つの側周壁６１から互いに対向する方向に向けてほぼ直角に延在した２つの縁側壁部６３ｂと、個々の縁側壁部６３ｂから内部に向けて延在する２つの内側壁部６３ｃと、内側壁部６３ｃの内縁部間を連結するように設けた内奥壁部６３ｄとを有しており、２つの内側壁部６３ｃと内奥壁部６３ｄとによって囲まれる凹所に側方パネル収容溝２９Ｃを構成している。つまり、縦框部材２１Ｃにおいては、前枠対向周壁６２及び２つの側周壁６１及び縦枠対向周壁６３によって囲まれる異形の中空筒状を成す筒状基部（中空部）６０Ａと、側方パネル収容溝２９Ｃとが互いに独立した空間となっている。図７（ｃ）からも明らかなように、平面視において筒状基部６０Ａの内部断面積は、側方パネル収容溝２９Ｃの断面積よりも十分に大きく確保してある。
【００２４】
この縦框部材２１Ｃの筒状基部６０Ａには、切欠６２ａ，６３ａよりも下方となる部位に底壁部６４が設けてある。底壁部６４は、側方パネル収容溝２９Ｃに対応する中央部分にのみ排水孔６４ａを確保した状態で筒状基部６０Ａの内部を封止するものである。図からも明らかなように、底壁部６４の上面は、排水孔６４ａに向けて漸次低くなるように傾斜するとともに、前枠１７に向けて漸次低くなるように傾斜している。
【００２５】
さらに、縦框部材２１Ｃの前枠対向周壁６２には、突部６５及び弾性係合ピン６６が設けてある。突部６５は、前枠対向周壁６２において排水孔６４ａに対応する部分から下方に向けて延在し、縦框部材２１Ｃの下面２１ｂから突出するように設けたものである。この突部６５は、下方パネル収容溝２９Ａに対して排水孔６４ａが対向した状態で縦框部材２１Ｃの下面２１ｂを腕木１８の上面に当接した場合に、下方パネル収容溝２９Ａの内部に挿入され、室内側の側面が下方パネル収容溝２９Ａの内部側面に当接するように構成してある。弾性係合ピン６６は、前枠対向周壁６２において前枠１７に対向する表面から突出した円筒状部材であり、周方向に４分割してある。４分割したそれぞれの部分には、先端部の外周面に係合突起６６ａが設けてある。
【００２６】
この縦框部材２１Ｃは、突部６５を下方パネル収容溝２９Ａに挿入した状態で弾性係合ピン６６を前枠１７に設けた図示せぬ係合孔に装着することによって前枠１７に取り付けてある。上述したように、縦框部材２１Ｃの上端部には、上框部材２１Ｂの端部が挿入してあり、上方パネル収容溝２９Ｂの小口端面が筒状基部６０Ａの内部に臨む位置で開口している。換言すれば、上框部材２１Ｂは、上方パネル収容溝２９Ｂが筒状基部６０Ａの内部に連通するように縦框部材２１Ｃに連結してあり、さらに筒状基部６０Ａの内部を介して上方パネル収容溝２９Ｂが下方パネル収容溝２９Ａに連続している。
【００２７】
また、屋外構造物１０には、前枠１７の小口端面１７ｅに端部キャップ３０が装着してある。端部キャップ３０は、図８及び図９に示すように、前枠１７の小口端面１７ｅを覆う本体カバー部３１と、縦框部材２１Ｃの外方側面２１ａから側方パネル収容溝２９Ｃに隣接する表面２１ｃまでの間を覆う縦框カバー部（延長カバー部）３２と、妻垂木１９の外方側面１９ａを覆う側枠カバー部（延長カバー部）３３とを樹脂によって一体に成形したものである。
【００２８】
本体カバー部３１及び側枠カバー部３３は、ほぼ同一の平面上に位置する板状部材である。これに対して縦框カバー部３２は、本体カバー部３１との間及び側枠カバー部３３との間がそれぞれ周囲カバー部（延長カバー部）３４によって連結してあり、その外表面３２ａが本体カバー部３１の外表面３１ａ及び側枠カバー部３３の外表面３３ａよりも一段退行した位置に配置してある。周囲カバー部３４は、妻垂木１９の下面１９ｂ及び前枠１７の外壁Ｗに臨む表面１７ｆを覆う部分であり、本体カバー部３１及び側枠カバー部３３に対してほぼ直交する方向に延在している。つまり、本体カバー部３１の内表面３１ｂを前枠１７の小口端面１７ｅに当接もしくは近接して配置した場合に、側枠カバー部３３の内表面３３ｂが妻垂木１９の外方側面１９ａに当接もしくは近接して配置されるとともに、縦框カバー部３２の内表面３２ｂが縦框部材２１Ｃの外方側面２１ａに当接もしくは近接して配置され、周囲カバー部３４の内表面３４ａが妻垂木１９の下面１９ｂ及び前枠１７の外壁Ｗに臨む表面１７ｆに当接もしくは近接して配置されるように構成してある。
【００２９】
この端部キャップ３０には、本体カバー部３１の内表面３１ｂにおいて前枠１７が当接もしくは近接して配置される部分に一連の端部溝３０ａが形成してある。また、側枠カバー部３３の内表面３３ｂ、縦框カバー部３２の内表面３２ｂ及び周囲カバー部３４の内表面３４ａには、妻垂木１９及び縦框部材２１Ｃに対向する部位の縁部に一連のシール塗布用溝３０ｂが形成してある。
【００３０】
上記のように構成した屋外構造物１０では、図１（ｂ）に示すように、建物の外壁Ｗに躯体縦枠１１、根太掛け１２及び垂木掛け１３を取り付けた後、躯体縦枠１１及び垂木掛け１３に対して左右の腕木１８及び妻垂木１９を取り付け、さらに腕木１８及び妻垂木１９の相互間に前枠１７を設けることで屋根構造体の骨格が構成される。この状態から、前枠１７の両小口端面１７ｅに対して端部キャップ３０が取り付けられる。このとき、端部キャップ３０のシール塗布用溝３０ｂに予めシール材を塗布しておけば、端部キャップ３０を取り付けることにより、屋根構造体のシール性を確保することが可能となる。
【００３１】
すなわち、端部キャップ３０においては、本体カバー部３１によって前枠１７の小口端面１７ｅが閉塞される。さらに側枠カバー部３３によって前枠１７と妻垂木１９との接合部がシールされるとともに、縦框カバー部３２及び周囲カバー部３４によって前枠１７と縦框部材２１Ｃとの接合部、妻垂木１９と縦框部材２１Ｃとの接合部、上框部材２１Ｂと縦框部材２１Ｃとの接合部、縦框部材２１Ｃと腕木１８との接合部がそれぞれシールされることになる。従って、端部キャップ３０を取り付けた後においては、これらの接合部に対して個別にシール材を塗布する作業を行う必要がなくなり、屋根構造体を組み立てる作業を煩雑化することなくシール性を確保することが可能となる。
【００３２】
さらに、前枠１７に中空状の筒状基部６０Ａを設けるとともに、上方パネル収容溝２９Ｂが筒状基部６０Ａの内部に連通するように設けているため、上方パネル収容溝２９Ｂからの水は筒状基部６０Ａの内部に流入することになり、側方パネル収容溝２９Ｃの開口から屋根妻パネル２３の表面に水が漏出する事態を招来するおそれがない。しかも、筒状基部６０Ａに到達した水は、底壁部６４によって内部に集められた後に、排水孔６４ａを介して下方パネル収容溝２９Ａにのみ排出されるため、外部に溢れ出るおそれもなくなる。
【００３３】
なお、上述した実施の形態では、テラス囲いと称される屋外構造物に適用された屋根構造体を例示しているが、本発明は必ずしもこれに限定されず、下方フレーム材、上方フレーム材及び側方フレーム材によって囲まれる屋根妻開口に屋根妻パネルが配設されるものであればその他のものにも適用することが可能である。また、上方フレーム材に上框部材を取り付けることによってパネル収容溝を設けるようにしているが、下方フレーム材と同様、パネル収容溝を一体に成形するようにしても良い。さらに、中空部として筒状を成すものを例示しているが、下方パネル収容溝に排水できるものであれば必ずしも筒状を成している必要はない。
【００３４】
以上のように、本発明に係る屋根構造体は、建物の外壁に対して突出するように延在され、上方に開口する下方パネル収容溝が設けられた下方フレーム材と、前記下方フレーム材の上方において前記外壁に対して突出するように延在され、下方に開口する上方パネル収容溝が設けられた上方フレーム材と、前記下方フレーム材及び前記上方フレーム材の間に設けられた側方フレーム材と、側方に開口する側方パネル収容溝が設けられ、前記側方パネル収容溝が前記下方パネル収容溝及び前記上方パネル収容溝を連続するように前記側方フレーム材に設けられた縦框部材と、縁部が前記下方パネル収容溝、前記上方パネル収容溝及び前記側方パネル収容溝に挿入された状態で配設された屋根妻パネルとを備える屋根構造体であって、前記縦框部材には、前記側方パネル収容溝よりも外周側となる部位に中空部が設けられ、前記上方パネル収容溝は、前記中空部に連通するように設けられ、前記中空部において前記上方パネル収容溝の小口端面よりも下方となる部位には、前記下方パネル収容溝に対向する部位にのみ排水孔を確保した状態で底壁部が設けられていることを特徴としている。
【００３５】
この発明によれば、縦框部材に中空部を設けるとともに、上方パネル収容溝が中空部に連通するように設けているため、上方パネル収容溝からの水は中空部に流入することになり、側方パネル収容溝の開口から屋根妻パネルの表面に水が漏出する事態を防止することができる。しかも、中空部に到達した水は、底壁部によって内部に集められた後に、排水孔を通過して下方パネル収容溝にのみ排出されるため、外部に溢れ出るおそれもなくなる。
【００３６】
また本発明は、上述した屋根構造体において、前記上方フレーム材は、前記外壁から離隔するに従って下方となるように傾斜し、前記縦框部材は、前記上方フレーム材において前記外壁から離隔した延在端部に配設されていることを特徴としている。
【００３７】
この発明によれば、雨水等の水が上方フレーム材の傾斜に沿って外壁から離隔する方向に案内されるため、防水上の点で有利となる。
【００３８】
また本発明は、上述した屋根構造体において、前記底壁部は、前記排水孔に向けて漸次低くなるように傾斜していることを特徴としている。
【００３９】
この発明によれば、縦框部材の中空部に至った水が底壁部の傾斜に従って排水孔に案内されるため、中空部に水が滞留してしまう事態を招来するおそれがない。
【００４０】
また本発明は、上述した屋根構造体において、前記縦框部材には、前記排水孔が前記下方パネル収容溝に対向した場合に前記下方パネル収容溝に挿入される突部が設けられていることを特徴としている。
【００４１】
この発明によれば、突部によって中空部の排水孔が下方パネル収容溝に対して正確に位置決めされた状態を維持することになり、外部への漏水をより確実に防止することができる。
【００４２】
また本発明は、上述した屋根構造体において、前記側方フレーム材は、水平方向に沿って延在され、その端部に前記下方フレーム材及び前記上方フレーム材が連結されるものであり、前記上方パネル収容溝は、パネル収容溝が設けられた別体の上框部材を前記上方フレーム材に取り付けることによって構成され、前記側方フレーム材の端部には、端部キャップが取り付けられ、前記端部キャップには、前記側方フレーム材の小口端面を覆う本体カバー部と、前記上方フレーム材の外方側面から前記縦框部材の外方側面にわたる部位を覆う延長カバー部とが一体に設けられていることを特徴としている。
【００４３】
この発明によれば、側方フレーム材の端部に端部キャップを装着することにより、上方フレーム材の外方側面から縦框部材の外方側面にわたる部位が延長カバー部によって覆われるため、互いの接合部を通じた水の浸入が防止され、水密性の点で有利となる。
【００４４】
また本発明は、上述した屋根構造体において、前記延長カバー部において前記上方フレーム材に対向する内表面の縁部及び前記縦框部材に対向する内表面の縁部には、シール材を塗布するための一連のシール塗布用溝が設けられていることを特徴としている。
【００４５】
この発明によれば、シール塗布用溝に予めシール材を塗布しておくことで、上方フレーム材及び縦框部材の接合部についても同時にシールすることができ、組立作業の煩雑化を招来することなく高い水密性を確保することが可能となる。
【符号の説明】
【００４６】
１７  前枠、１７ｅ  小口端面、１８  腕木、１９  妻垂木、１９ａ  外方側面、２１Ｂ  上框部材、２１Ｃ  縦框部材、２１ａ  外方側面、２３  屋根妻パネル、２７  屋根妻開口、２９Ａ  下方パネル収容溝、２９Ｂ  上方パネル収容溝、２９Ｃ  側方パネル収容溝、３０  端部キャップ、３０ｂ  シール塗布用溝、３１  本体カバー部、３１ｂ  内表面、３２  縦框カバー部、３２ｂ  内表面、３３  側枠カバー部、３３ｂ  内表面、３４  周囲カバー部、３４ａ  内表面、６０Ａ  筒状基部、６４  底壁部、６４ａ  排水孔、６５  突部、Ｗ  外壁
【図１】
2020060044.tif 000003
【図２】
2020060044.tif 000004
【図３】
2020060044.tif 000005
【図４】
2020060044.tif 000006
【図５】
2020060044.tif 000007
【図６】
2020060044.tif 000008
【図７】
2020060044.tif 000009
【図８】
2020060044.tif 000010
【図９】
2020060044.tif 000011